(57)【要約】【課題】  チョッパ回路１００におけるチョッパ用インダクタ２０の箇所から、放電灯９１へ直に一部の電力を供給し、それによって効率を高める。【解決手段】  交流電源１１電圧を整流した整流電源１０電圧を受けて動作するチョッパ回路１００を備える。前記チョッパ回路１００末端の平滑用コンデンサ５０電圧を高周波電圧に変換するインバータ回路２００を備える。前記インバータ回路２００から高周波電力をうける点灯回路３００を備える。  前記チョッパ回路１００はチョッパ用インダクタ２０と該チョッパ用インダクタ２０を前記整流電源１０へ断続的に接続するチョッパ用スイッチング素子３０を含む。前記点灯回路３００は放電灯９１とそれに直列の主バラスト用インピーダンス９２を含む。  前記チョッパ用インダクタ２０の鉄心に巻かれた補助巻線２２を設ける。前記補助巻線２２電圧を補助バラスト用インピーダンス２９を介して前記放電灯９１へ印加する。【選択図】  図１
2005135882.tif 000002
【特許請求の範囲】
【請求項１】
交流電源（１１）電圧を整流した整流電源（１０）電圧を受けて動作するチョッパ回路（１００）を備え、前記チョッパ回路（１００）末端の平滑用コンデンサ（５０）電圧を高周波電圧に変換するインバータ回路（２００）を備え、前記インバータ回路（２００）から高周波電力をうける点灯回路（３００）を備え、
前記チョッパ回路（１００）はチョッパ用インダクタ（２０）と該チョッパ用インダクタ（２０）を前記整流電源（１０）へ断続的に接続するチョッパ用スイッチング素子（３０）を含み、前記点灯回路（３００）は放電灯（９１）とそれに直列の主バラスト用インピーダンス（９２）を含み、
前記チョッパ用インダクタ（２０）の鉄心に巻かれた補助巻線（２２）を設け、前記補助巻線（２２）電圧を補助バラスト用インピーダンス（２９）を介して前記放電灯（９１）へ印加することを特徴とする放電灯点灯装置。
【発明の詳細な説明】
【技術分野】
【０００１】  本発明は、交流電源電圧を整流した整流電源電圧を受けて動作するチョッパ回路を備え、前記チョッパ回路末端の平滑用コンデンサ電圧を高周波電圧に変換するインバータ回路を備え、前記インバータ回路から高周波電力をうける点灯回路を備えた放電灯点灯装置に関するものである。
【背景技術】
【０００２】  前記放電灯点灯装置について補足する。前記チョッパ回路はチョッパ用インダクタと該チョッパ用インダクタを前記整流電源へ断続的に接続するチョッパ用スイッチング素子を含む。また、前記点灯回路は放電灯とそれに直列の主バラスト用インピーダンスを含む。
以上のような放電灯点灯装置は周知であり、かかる構成を示す多数の特許関係公報あるいは製品事例が存在する。
【発明の開示】
【発明が解決しようとする課題】
【０００３】  前記放電灯に対しては、チョッパ回路並びにインバータ回路を介して給電される。このため、効率が良くない。
本発明の目的は、チョッパ回路におけるチョッパ用インダクタの箇所から、放電灯へ直に一部の電力を供給し、それによって効率を高めることを目的とする。
【課題を解決するための手段】
【０００４】  本発明においては、  交流電源電圧を整流した整流電源電圧を受けて動作するチョッパ回路を備える。前記チョッパ回路末端の平滑用コンデンサ電圧を高周波電圧に変換するインバータ回路を備える。前記インバータ回路から高周波電力をうける点灯回路を備える。
前記チョッパ回路はチョッパ用インダクタと該チョッパ用インダクタを前記整流電源へ断続的に接続するチョッパ用スイッチング素子を含む。また、前記点灯回路は放電灯とそれに直列の主バラスト用インピーダンスを含む。
本発明においては、前記チョッパ用インダクタの鉄心に巻かれた補助巻線を設け、前期補助巻線電圧を補助バラスト用インピーダンスを介して前記放電灯へ印加する。
【発明の効果】
【０００５】  本発明によれば、チョッパ回路におけるチョッパ用インダクタの箇所から、放電灯へ直に一部の電力を供給するので、効率を高めることができる。
【発明を実施するための最良の形態】
【０００６】  図１および図２を用いて、本発明の実施形態について説明する。図示装置は、交流電源１１電圧を整流した整流電源１０電圧を受けて動作するチョッパ回路１００を備える。前記チョッパ回路１００末端の平滑用コンデンサ５０電圧を高周波電圧に変換するインバータ回路２００を備える。前記インバータ回路２００から高周波電力をうける点灯回路３００を備える。
前記チョッパ回路１００はチョッパ用インダクタ２０と該チョッパ用インダクタ２０を前記整流電源１０へ断続的に接続するチョッパ用スイッチング素子３０を含む。前記点灯回路３００は放電灯９１とそれに直列の主バラスト用インピーダンス９２を含む。
前記チョッパ用インダクタ２０の鉄心に巻かれた補助巻線２２を設ける。前期補助巻線２２電圧を補助バラスト用インピーダンス２９を介して前記放電灯９１へ印加する。図１図示上は補助巻線２２および鉄心は一対あるように見えるが、実際には同一のものである。【０００７】  説明を補足する。符号１０〜５０の部品は前記チョッパ回路１００に属する。符号６１〜８２の部品はインバータ回路２００に属する。符号９１〜９３の部品は点灯回路３００に属する。整流電源１０は整流用ダイオード１２〜１５を含む。チョッパ用インダクタ２０は鉄心とそれらに巻かれて主巻線２１および補助巻線２２を含む。主たる役割はチョッパ用インダクタ２０であるが、主巻線２１・補助巻線２２を含むトランスとしても機能する。チョッパ用スイッチング素子３０がオンのときにチョッパ用インダクタ２０に電磁エネルギを蓄積し、オフのときに該電磁エネルギを放出し逆阻止用ダイオード４０を介して平滑用コンデンサ５０を充電する。順直列一対のインバータ用スイッチング素子６１・６２およびその夫々に逆並列に接続されるフライホイールダイオード７１・７２および一対のアーム用コンデンサ８１・８２はハーフブリッジ形のインバータ回路２００を構成する。【０００８】  放電灯９１は蛍光ランプである。放電灯９１と直列に主バラストインピーダンス９２が接続される。これはインダクタである。放電灯９１の非電源側端子間に予熱用コンデンサ９３が接続される。これらは点灯回路３００の主たる構成要素である。
主巻線２１の電圧Ｖ２１は図２のような高周波電圧である。その負半波電圧Ｖ２１Ｎは整流電源１０電圧瞬時値の符号を反転させた値となる。その正半波電圧Ｖ２１Ｐは平滑用コンデンサ電圧５０から前記瞬時値を差し引いた値となる。整流電源１０電圧の瞬時値はその電圧位相θに応じて変化する。このため、主巻線電圧Ｖ２１は電圧位相θの関数となる。説明の便宜上、図示の正半波電圧Ｖ２１Ｐは逆阻止ダイオード４０がオン状態となる前提のものである。逆阻止ダイオード４０がオフとなる期間の正半波電圧Ｖ２１Ｐはそれより低い。主巻線電圧Ｖ２１について説明したが、補助巻線２２の電圧はそれに比例する。【０００９】  本発明においては、補助巻線２２電圧を高周波電源として利用し、そこから補助バラスト用インピーダンス２９を介して放電灯９１に給電する。図示の補助バラスト用インピーダンス２９はキャパシタンスである。放電灯９１への給電はインバータ回路２００からの電力と補助巻線２２からの電力の合計となる。
チョッパ用インダクタ２０を介して供給される電力のかなりの部分はインバータ回路２００を介して放電灯９１へ供給される。その電力の残りの部分は補助巻線２２を介し、インバータ回路２００を介さずに放電灯９１へ供給される。前者はチョッパ用スイッチング素子３０を介しかつインバータ用スイッチング素子６１・６２を経由する二変換形経路である。後者はチョッパ用スイッチング素子３０のみを経由する一変換形経路である。本発明においては、チョッパ用インダクタ２０を介して供給される電力の一部を前記後者のごとく、インバータ回路２００を介さずに放電灯９１へ供給するので、損失が少なく、その分だけ効率が高まる。
【図面の簡単な説明】
【００１０】
【図１】本発装置の回路図である。
【図２】その動作説明用波形図である。
【符号の説明】
１０：整流電源
１００：チョッパ回路
１１：交流電源
２０：チョッパ用インダクタ
２００：インバータ回路
２２：補助巻線
２９：補助バラスト用インピーダンス
３０：チョッパ用スイッチング素子
３００：点灯回路
５０：平滑用コンデンサ
９１：放電灯
９２：主バラスト用インピーダンス
【図１】
2005135882.tif 000003
【図２】
2005135882.tif 000004